(57)【要約】【課題】サーチ対象の数値を最後の桁まで入力する間に検索範囲を超えた場合、検索範囲を超えた時点の桁入力を無効にする数値検索方法を提供することにある。【解決手段】検索可能な数値に於ける各桁の最大値を決定する決定手段と、検索対象数値の入力を大きい桁から順に各桁毎に受け付けて、検索対象数値と最大値とを大きい桁から順に各桁毎に比較し、検索対象数値が最大値以下か否かを判定する比較判定手段と、検索対象数値を検索範囲から検索する検索手段と、検索対象数値が最大値以下の場合に、検索手段を制御して検索対象数値の検索を実行させ、検索対象数値が最大値を超えた場合に、検索対象数値が最大値を超えた時点の桁入力を無効化する制御手段とを備えることを特徴とする数値検索方法。【選択図】      図２
2006134429.tif 000002
【特許請求の範囲】
【請求項１】
光ディスク記録再生装置に於けるトラック番号検索に使用される３桁の数値検索方法であって、
検索可能な数値に於ける各桁の最大値を決定する決定手段と、
３桁の検索対象数値の入力を大きい桁から順に各桁毎に受け付けて、前記検索対象数値と前記最大値とを大きい桁から順に各桁毎に比較し、前記検索対象数値が前記最大値以下か否かを判定する比較判定手段と、
前記検索対象数値を検索範囲から検索する検索手段と、
前記検索対象数値が前記最大値以下の場合に、前記検索手段を制御して前記検索対象数値の検索を実行させ、前記検索対象数値が前記最大値を超えた場合に、前記検索対象数値が前記最大値を超えた時点の桁入力を無効化し、前記検索対象が前記最大値を超えた時点の桁入力を、前記比較判定手段を制御して再度受け付け可能とする制御手段と、を備えることを特徴とする数値検索方法。
【請求項２】
検索可能な数値に於ける各桁の最大値を決定する決定手段と、
検索対象数値の入力を大きい桁から順に各桁毎に受け付けて、前記検索対象数値と前記最大値とを大きい桁から順に各桁毎に比較し、前記検索対象数値が前記最大値以下か否かを判定する比較判定手段と、
前記検索対象数値を検索範囲から検索する検索手段と、
前記検索対象数値が前記最大値以下の場合に、前記検索手段を制御して前記検索対象数値の検索を実行させ、前記検索対象数値が前記最大値を超えた場合に、前記検索対象数値が前記最大値を超えた時点の桁入力を無効化する制御手段と、を備えることを特徴とする数値検索方法。
【請求項３】
前記制御手段は、さらに前記検索対象数値が前記最大値を超えた場合に、前記検索対象数値が前記最大値を超えた時点での桁入力を、前記比較判定手段を制御して再度受け付け可能とすることを特徴とする、請求項２に記載の数値検索方法。
【請求項４】
前記桁数は３桁以下であることを特徴とする、請求項２乃至３の何れか１つに記載の数値検索方法。
【請求項５】
前記検索方法は、デジタルテレビジョン放送受信機に於けるデジタルテレビジョン放送のチャンネル番号検索に使用されることを特徴とする、請求項２乃至４の何れか１つに記載の数値検索方法。
【請求項６】
前記検索方法は、光ディスク記録再生装置に於けるトラック番号検索に使用されることを特徴とする、請求項２乃至４の何れか１つに記載の数値検索方法。
【発明の詳細な説明】
【技術分野】
【０００１】
本発明は、検索対象数値が検索範囲に含まれるか否かを各桁毎に判定する数値検索方法に関する。
【背景技術】
【０００２】
一般に、ユーザが光ディスク再生機能を有する装置を使用して、光ディスク記録媒体に記録された所望のデータを再生する場合、データサーチ機能を使用する。該データサーチ機能は、例えば光ディスク記録媒体がオーディオＣＤであれば、トラック番号を入力し、ＤＶＤであればチャプタ番号を入力して、該番号に該当するデータを光ディスク記録媒体から検索する機能である。従来、こうしたデータサーチ方法に関して様々な発明が提案されている。
【０００３】
例えば、特許文献１には、記録媒体上に形成されたトラック番号を示すアドレス情報が正しく読み取れない範囲が存在する場合に於いても、指定されたトラック番号の検索を可能とするサーチ方法について記載されている。このサーチ方法では、キーボードへの入力によって所定のトラックが指定されると、該トラックのアドレス情報に関して有効性が判定され、無効とされた場合、隣のトラックからアドレス情報を読み取る処理を繰り返して、アドレス情報の読み取りが可能になるまで該処理を継続する。また、特許文献２には、ヘッドをディスクメディアに接触させて情報の読出しを行わせるためのヘッドロード動作をマニュアルモードで実行可能にする情報処理装置について記載されている。この情報処理装置では、マニュアルモードを設定し、トラック番号を指定すると、ヘッドが指定トラック位置へシークした後、該トラックに接触して自動的にデータの読み出し動作が実行される。また、特許文献３にはＣＤプレーヤのインデックスサーチ装置について記載されている。このインデックスサーチ装置は、ＣＤに記録された各曲の歌詞番号や楽章番号（インデックス番号）をサーチする際に、サーチするインデックス番号が存在しない場合、最大インデックス番号を読み取ってサーチ対象とする。
【特許文献１】特開昭６１−１０４４７１号公報（第３−７頁、第６図）
【特許文献２】特開昭６２−６７７７６号公報（第２−３頁、第２図）
【特許文献３】特開昭６１−８６８６６号公報（第６−１４頁、第３図）
【発明の開示】
【発明が解決しようとする課題】
【０００４】
ところで、通常、光ディスク記録媒体に記録されたトラックやチャプタ等のデータから、所望のデータ番号をサーチする場合、該データ番号を最後まで入力しなければ、実際に該データ番号が光ディスク記録媒体に記録されているか否かを判定することが出来ない。したがって、該データ番号が複数桁の数値である場合、最後まで該データ番号を入力する必要があるので、ユーザにとって煩わしい作業が必要となる。上述の特許文献１乃至３に記載の発明に於いても、所望のトラックやインデックス等のデータサーチを行う為には、データ番号を最後まで入力する必要があり、この点を解決する内容に就いては扱われていない。
【０００５】
したがって、本発明の目的は、サーチ対象の数値を最後の桁まで入力する間に検索範囲を超えた場合、検索範囲を超えた時点の桁入力を無効にする数値検索方法を提供することにある。
【課題を解決するための手段】
【０００６】
第１発明に係る数値検索方法は、光ディスク記録再生装置に於けるトラック番号検索に
使用される３桁の数値検索方法であって、検索可能な数値に於ける各桁の最大値を決定する決定手段と、３桁の検索対象数値の入力を大きい桁から順に各桁毎に受け付けて、検索対象数値と最大値とを大きい桁から順に各桁毎に比較し、検索対象数値が最大値以下か否かを判定する比較判定手段と、検索対象数値を検索範囲から検索する検索手段と、検索対象数値が最大値以下の場合に、検索手段を制御して検索対象数値の検索を実行させ、検索対象数値が最大値を超えた場合に、検索対象数値が最大値を超えた時点の桁入力を無効化し、検索対象が最大値を超えた時点の桁入力を、比較判定手段を制御して再度受け付け可能とする制御手段とを備えることを特徴とする。
【０００７】
この数値検索方法によれば、検索対象数値が最大値を超えた場合に、超えた時点の桁入力を無効にするので、検索対象数値を最後の桁まで入力する手間を省くことができ、非常に利便性が高い。さらに、この数値検索方法によれば、検索対象数値が最大値を超えた場合に、超えた時点の桁入力を無効にして、該桁入力を再度受け付ける。したがって、検索対象数値を最後の桁まで入力する前に桁入力が無効になったとしても、検索対象数値の最初の桁入力から再度入力し直す必要がなく、非常に利便性が高い。
【０００８】
また、この数値検索方法によれば、桁数が３桁以下の数値の検索を行うことが出来るので、例えばＪＰＥＧフォーマットの画像データやＭＰ３フォーマットの音声データのように、光ディスク記録媒体に１００以上のデータが記録可能な場合に於いても、トラック番号検索を実行することが可能であり、ユーザにとって利便性の高い検索方法を提供することが出来る。  
【０００９】
第２発明に係る数値検索方法は、検索可能な数値に於ける各桁の最大値を決定する決定手段と、検索対象数値の入力を大きい桁から順に各桁毎に受け付けて、検索対象数値と最大値とを大きい桁から順に各桁毎に比較し、検索対象数値が最大値以下か否かを判定する比較判定手段と、検索対象数値を検索範囲から検索する検索手段と、検索対象数値が最大値以下の場合に、検索手段を制御して検索対象数値の検索を実行させ、検索対象数値が最大値を超えた場合に、検索対象数値が最大値を超えた時点の桁入力を無効化する制御手段とを備えることを特徴とする。
【００１０】
この数値検索方法によれば、検索対象数値が最大値を超えた場合に、超えた時点の桁入力を無効にするので、検索対象数値を最後の桁まで入力する手間を省くことができ、非常に利便性が高い。
【００１１】
第３発明に係る数値検索方法は、第２発明に係る数値検索方法に於いて、制御手段は、さらに検索対象数値が最大値を超えた場合に、検索対象数値が最大値を超えた時点での桁入力を、比較判定手段を制御して再度受け付け可能とすることを特徴とする。
【００１２】
この数値検索方法によれば、検索対象数値が最大値を超えた場合に、超えた時点の桁入力を無効にして、該桁入力を再度受け付ける。したがって、検索対象数値を最後の桁まで入力する前に桁入力が無効になったとしても、検索対象数値の最初の桁入力から再度入力し直す必要がなく、非常に利便性が高い。
【００１３】
第４発明に係る数値検索方法は、第２乃至第３発明の何れか１つに係る数値検索方法に於いて、桁数は３桁以下であることを特徴とする。
【００１４】
この数値検索方法によれば、桁数が３桁以下の数値の検索を行うことが出来るので、様々な分野の数値検索に利用することが可能である。
【００１５】
第５発明に係る数値検索方法は、第２乃至第４発明の何れか１つに係る数値検索方法に於いて、検索方法は、デジタルテレビジョン放送受信機に於けるデジタルテレビジョン放送のチャンネル番号検索に使用されることを特徴とする。
【００１６】
この数値検索方法によれば、デジタルテレビジョン放送受信機に於けるデジタルテレビジョン放送のチャンネル番号検索に使用することが出来るので、ユーザにとって利便性の
高い検索方法を提供することが出来る。
【００１７】
第６発明に係る数値検索方法は、第２乃至第４発明の何れか１つに係る数値検索方法に於いて、検索方法は、光ディスク記録再生装置に於けるトラック番号検索に使用されることを特徴とする。
【００１８】
この検索方法によれば、光ディスク記録再生装置に於けるトラック番号検索に使用することが出来るので、ユーザにとって利便性の高い検索方法を提供することが出来る。
【発明の効果】
【００１９】
本発明によれば、検索対象数値を最後の桁まで入力する間に検索範囲の最大値を超えた場合、最大値を超えた時点の桁入力を無効にして、検索対象数値を最後の桁まで入力する作業を省くことができる。
【発明を実施するための最良の形態】
【００２０】
（１）第１実施形態
[構成]
図１は、本実施形態に係るテレビジョン放送受信機１の概略構成図である。テレビジョン放送受信機１は、アンテナ部２、チューナ部３、復調部及び誤り訂正（ＦＥＣ）部４、デマルチプレクサ（ＤＥＭＵＸ）５、音声信号処理部６、映像信号処理部７、スピーカ部８、表示部９、デスクランブラ１０、ＯＳＤ制御部１１、リモコン１２、赤外線受光部１３、操作部１４、ＲＯＭ１５、ＥＥＰＲＯＭ１６、制御部１７とを備えている。
【００２１】
アンテナ部２は、デジタルテレビジョン放送の放送電波を受信し、電気信号である放送信号に変換する。チューナ部３は、放送信号に所定の処理を施し、復調部及びＦＥＣ部４にこれを出力する。復調部及びＦＥＣ部４は、チューナ部３からの信号に関して復調及び誤り訂正処理を行い、ＤＥＭＵＸ５に出力する。ＤＥＭＵＸ５は、音声データ５ａ、映像データ５ｂ、及び、番組チャンネルデータ５ｃが多重化されている放送信号から、各データを分離して出力する。音声信号処理部６は、ＤＥＭＵＸ５から出力されたデジタル圧縮された音声データ５ａをデコードし、アナログ信号に変換して、スピーカ部８に出力する。映像信号処理部７は、ＤＥＭＵＸ５から出力されたデジタル圧縮された映像データ５ｂをデコードして、ＲＢＧ信号に変換し、表示部９に出力する。デスクランブラ１０は、復調された放送信号に付加されている不正視聴防止用のスクランブル信号を解除する。ＯＳＤ処理部１１は、制御部１７の制御によって、表示部９にＯＳＤ（On Screen Display）
画面を表示させる。
【００２２】
リモコン１２は、複数の入力キーを備えた遠隔操作装置であり、ユーザからの入力を受け付けて、赤外線発光部（図示せず）を介して、赤外線受光部１３に信号を出力する。赤外線受光部１３は、リモコン１２からの信号を制御部１７に出力する。操作部１４は、複数の入力キーを備えており、ユーザからの入力を受け付けて制御部１７に出力する。
【００２３】
ＲＯＭ１５は、不揮発性メモリであり、予め所定のデータが記憶されている。ＥＥＰＲＯＭ１６は、電気的に内容を書き換え可能な不揮発性メモリであり、制御部１７の制御によって所定のデータが記憶される。
【００２４】
制御部１７は、リモコン１２及び操作部１４からのユーザ入力を受け付け、ＤＥＭＵＸ５からの情報チャンネルデータ５ｃを受け付けるとともに、チューナ部３、デスクランブラ１０、ＯＳＤ処理部１１、ＲＯＭ１５、ＥＥＰＲＯＭ１６を制御する。
【００２５】
[テレビジョン放送チャンネルのサーチ方法]  
図２は、本実施形態に係るテレビジョン放送受信機１によるテレビジョン放送チャンネ
ルのサーチ方法に関するフローチャートであり、図３（ａ）乃至（ｂ）は本実施形態に係るテレビジョン放送受信機１による放送チャンネルのサーチ画面例である。
【００２６】
前述の通り、テレビジョン放送受信機１の制御部１７は、ＤＥＭＵＸ５から情報チャンネルデータ５ｃを出力される（図１参照）。該情報チャンネルデータ５ｃは、デジタルテレビジョン放送の電子番組ガイド（ＥＰＧ）に関するデータが含まれており、制御部１７は情報チャンネルデータ５ｃに基づいて、受信可能な放送局のチャンネル番号を取得することが出来る。制御部１７は、該チャンネル番号の内、チャンネル番号の最大値をパラメータに割り当て、ＥＥＰＲＯＭ１６に記憶させる。具体的には、パラメータはＸ、Ｙ、Ｚの３つであり、Ｘはチャンネル番号の１００の位に対応し、Ｙは１０の位に対応し、Ｚは１の位に対応している。例えば、チャンネル番号の最大値が７５４である場合、Ｘ、Ｙ、Ｚにそれぞれ７、５、４が割り当てられる。なお、本実施形態に於けるテレビジョン放送チャンネルのサーチ方法に関するフローチャートは、チャンネル番号の最大値が７５４の場合を想定して説明する。
【００２７】
制御部１７がチャンネル番号の最大値を取得すると、該最大値の各桁の数値をパラメータＸ、Ｙ、Ｚに割り当て、ＥＥＰＲＯＭ１６に記憶させる。ステップ１０１に於いて、所定のチャンネル番号がリモコン１２、若しくは、操作部１４に設置された入力キー（図示せず）を介して入力されると、制御部１７はＯＳＤ処理部１１を制御して、表示部９に図３（ａ）のサーチ画面１００を出力させる。なお、サーチ画面１００は、項目欄１０１、最大チャンネル番号欄１０２、入力欄１０３、カーソル１０４、コメント欄１０５で構成される。項目欄１０１には、現在の処理がチャンネルサーチであることを示す項目名が表示され、最大チャンネル番号欄１０２には、制御部１７が取得した受信可能な放送局のチャンネル番号の最大値（本実施形態では７５４）が表示され、入力欄には、入力されるチャンネル番号が１００の位から順に表示され、カーソル１０４は現在入力中であるチャンネル番号の桁を点滅表示しており、入力が完了すると、１００の位から順に１の位まで移動する。コメント欄１０５には適宜コメントが表示される。また、３桁のチャンネル番号の入力は、制御部１７の制御により、パラメータＡ、Ｂ、Ｃに割り当てられ、ＥＥＰＲＯＭ１６に記憶させる。具体的には、入力されるチャンネル番号の１００の位がＡに割り当てられ、１０の位がＢに割り当てられ、１の位がＣに割り当てられる。
【００２８】
前述の通り、ステップ１０１に於いて１００の位（Ａ）が入力されると、ステップ１０２に移行し、制御部１７に於いてＡの値がＸの値（Ｘ＝７）以下であるか否かが判定される。ステップ１０２に於いて、Ａの値がＸの値より大きい場合（例えばＡ＝８）、図３（ｂ）に図示されたように、サーチ画面１００のコメント欄１０５にサーチ範囲外である旨を示すコメントが表示され、入力欄１０３の１００の位の欄に表示された数値が消去される（Ｓ１０３）。そして、１００の位の入力を再度実行するために、ステップ１０１に戻る。反対に、ステップ１０２に於いて、Ａの値がＸの値以下である場合、ステップ１０４に移行する。ステップ１０４に於いて、Ａの値が７であるか否かが判定され、Ａの値が７である場合、ステップ１０６に移行する。ステップ１０６に於いて、入力中の数値に対応するパラメータに割り当てられた数値が、チャンネル番号の最大値に対応するパラメータに割り当てられた数値と等しいことを示すフラグ（Ｆ１）が立てられ、ステップ１０７に移行する。具体的には、フラグ（Ｆ１）のデフォルトの状態ではフラグを無効化する値「０」が割り当てられているが、フラグの値に「１」を割り当てることによって、フラグを有効化する。また、１００の位の入力が受け付けられた時点で、サーチ画面１００のカーソル１０４は１０の位に移動する。反対に、ステップ１０４に於いて、Ａの値がＸの値と等しくない場合、つまり、Ａの値がＸの値よりも小さい場合（例えばＡ＝４）、フラグの値に「０」を割り当て、Ｙの値を５から９に変更し、ステップ１０７に移行する（Ｓ１０５）。つまり、１００の位の数値が７よりも小さい場合には、１０の位に割り当てることが可能な数値は０乃至９の何れでもよいので、Ｙの値に最大値である９を割り当てる。な
お、１００の位の入力が受け付けられた時点で、サーチ画面１００のカーソル１０４は入力欄１０３の１０の位に移動する。
【００２９】
ステップ１０７に於いて、１００の位の入力と同様に１０の位の値が入力されると、ステップ１０８に移行し、制御部１７によってＢの値がＹの値以下であるか否かが判定される。但し、前述の通り、ステップ１０４に於けるＡの値が７の場合、Ｙの値に５が割り当てられているが、Ａの値が０乃至６の場合、Ｙの値には９が割り当てられている。したがって、まず、ステップ１０４に於いてＡの値に７が割り当てられた場合のステップについて説明する。
【００３０】
前述のステップ１０４に於いて、Ａの値が７である場合、ステップ１０８に於いて、Ｂの値にＹ以上（６以上）を入力した場合、チャンネル番号の最大値（７５４）を超えてしまうので、ステップ１０９に移行し、サーチ画面１００のコメント欄１０５にサーチの対象外である旨を示すコメントが表示され、入力欄１０３の１０の位の欄に表示された数値が消去される。そして、１０の位の入力を再度実行するために、ステップ１０７に戻る。反対に、ステップ１０８に於いて、Ｂの値がＹ以下、つまり、Ｂの値が５以下である場合、ステップ１１０に移行する。
【００３１】
ステップ１１０に於いて、Ｆ１の値が「１」、且つ、Ｂの値がＹと等しい場合、つまり、Ａの値が７であり、Ｂの値が５の場合、ステップ１１２に移行し、フラグ（Ｆ１）の値に「１」を割り当て、フラグを立てる。反対に、Ｆ１の値が「１」であるが、Ｂの値がＹと等しくない場合、つまり、Ａの値が７であるが、Ｂの値が０乃至４の場合、ステップ１１１に移行する。ステップ１１１に於いて、フラグ（Ｆ１）の値に「０」を割り当て、Ｚの値に９を割り当てて、ステップ１１３に移行する。つまり、ステップ１１１の段階で、１００の位の値が７で、１０の位の値が例えば３である場合には、１の位は０乃至９の何れの数値でもよいので、Ｚの値に最大値である９を割り当てる。
【００３２】
次に、ステップ１０７に於いてＢの値が入力される際に、前述のステップ１０４に於いて、Ａの値に０乃至６の何れかが割り当てられた場合について説明する。ステップ１０４に於いてＡの値に０乃至６の何れかが割り当てられた場合、ステップ１０５に於いてＹの値に９が割り当てられる。したがって、ステップ１０７に於いて、Ｂの値に０乃至９の何れの数値が割り当てられたとしても、ステップ１０８に於いてＢの値はＹの値以下となり、ステップ１１０に移行する。
【００３３】
ステップ１１０に於いては、前述のステップ１０５に於いてＦ１の値に「０」が割り当てられているので、ステップ１１１に移行する。ステップ１１１に於いて、Ｆ１の値に「０」を割り当て、Ｚの値に９を割り当てる。前述のステップ１０４に於いて、Ａの値は０乃至６の何れかであるので、１０の位と１の位に０乃至９の何れを代入してもチャンネル番号の最大値を超えることはない。したがって、Ｚの値に９を割り当てる。
【００３４】
ステップ１１３に於いて、Ｃの値が入力されると、ステップ１１４に移行する。ステップ１１４に於いて、Ｃの値がＺ以下か否かが判定される。Ａの値が７で、且つ、Ｂの値が５の場合には、Ｚの値は４から変更されていないので、Ｃの値が４以下であるか否かが判定されることになる。そして、Ｃの値が５以上の場合、チャンネル番号の最大値が７５４を超えることになるので、ステップ１１５に移行し、サーチ画面１００のコメント欄１０５にサーチ範囲外である旨を示すコメントが表示され、入力欄１０３の１の位の欄に表示された数値が消去される。そして、１の位の入力を再度実行するために、ステップ１１３に戻る。反対に、ステップ１１４に於いて、Ｃの値が４以下である場合には、ステップ１１６に移行し、サーチ動作が開始される。
【００３５】
また、ステップ１１４に於いて、Ａの値が７で、且つ、Ｂの値が０乃至４の何れかである場合と、Ａの値が０乃至６で、且つ、Ｂの値が０乃至９の何れかである場合には、Ｚの値に９が割り当てられているので、Ｃの値に０乃至９の何れの数値を入力しても、必ずＣの値はＺ以下となり、ステップ１１６に移行する。
【００３６】
ステップ１１６に於いて、制御部１７は、チューナ部３を制御して入力された３桁のチャンネル番号を受信させる。
【００３７】
[作用効果]
本実施形態に係るテレビジョン放送受信機１によるテレビジョン放送チャンネルのサーチ方法によれば、所望のチャンネル番号が受信可能なチャンネル番号の最大値を超えた場合に、超えた時点のチャンネル番号の桁入力を無効にするので、所望のチャンネル番号を最後の桁まで入力する手間を省くことができ、非常に利便性が高い。
【００３８】
また、本実施形態に係るテレビジョン放送受信機１によるテレビジョン放送チャンネルのサーチ方法によれば、所望のチャンネル番号が受信可能なチャンネル番号の最大値を超えた場合に、超えた時点の桁入力を無効にして、さらに、該無効となった桁入力を再度受け付ける。したがって、所望のチャンネル番号を最後の桁まで入力する前に桁入力が無効になったとしても、所望のチャンネル番号を最初の桁入力から入力し直す必要がなく、非常に利便性が高い。
【００３９】
また、本実施形態に係るテレビジョン放送受信機１によるテレビジョン放送チャンネルのサーチ方法によれば、所望のチャンネル番号が受信可能なチャンネル番号の最大値を超えた場合に、制御部１７が超えた時点の桁入力を無効にして、ＯＳＤ処理部１１を制御して所望のチャンネル番号がサーチ範囲外である旨を示すコメントを表示部９に出力させるので、所望のチャンネル番号がサーチ範囲外であることをユーザに容易に理解させることが出来る。
【００４０】
また、本実施形態に係るテレビジョン放送受信機１によるテレビジョン放送チャンネルのサーチ方法によれば、桁数が３桁以下の数値の検索を行うことが出来るので、デジタルテレビジョン放送のチャンネル番号のサーチに対応することができ、ユーザにとって利便性が高い。
（２）第２実施形態
[構成]
図４は、本実施形態に係るＤＶＤ再生装置１８の概略構成図である。なお、図４に記載の概略構成図は、第１実施形態に係るテレビジョン放送受信機１の概略構成図（図１参照）に図示された構成と一部同一の構成を含むので、同一構成については、同一の符号を付与する。
【００４１】
ＤＶＤ再生装置１８は、光ディスク記録媒体１９、光ピックアップ部２０、サーボ処理部２１、信号処理部２２、音声デコード部２３、映像デコード部２４、スピーカ部８、表示部９、ＯＳＤ制御部１１、リモコン１２、赤外線受光部１３、操作部１４、ＲＯＭ１５、ＥＥＰＲＯＭ１６、制御部１７とを備えている。
【００４２】
光ディスク記録媒体１９は、所定の情報を記録したＣＤ、若しくは、ＤＶＤ（Digital Versatile Disk）である。光ディスク記録媒体１９がインターフェイス部（図示せず）に装着されると、光ピックアップ２０は、サーボ処理部２１により、フォーカス制御、トラッキング制御、スライド制御を実行し、光ディスク記録媒体１９に記憶された情報を読み出して、信号処理部２２に出力する。信号処理部２２は、光ピックアップ部２０からの信号に基づいて、デジタルオーディオデータと管理データとを生成し、復調及び誤り訂正を
行い、音声データと映像データを、音声デコード部２３及び映像デコード部２４にそれぞれ出力し、管理データを制御部１７に出力する。音声デコード部２３は、信号処理部２２からの音声信号を伸張し、スピーカ部８に出力する。映像デコード部２４は、信号処理部２２からの映像信号を伸張し、表示部９に出力する。
【００４３】
リモコン１２は、複数の入力キーを備えた遠隔操作装置であり、ユーザからの入力を受け付けて、赤外線発光部（図示せず）を介して、赤外線受光部１３に信号を出力する。赤外線受光部１３は、リモコン１２からの信号を制御部１７に出力する。操作部１４は、複数の入力キーを備えており、ユーザからの入力を受け付けて制御部１７に出力する。
【００４４】
ＲＯＭ１５は、不揮発性メモリであり、予め所定のデータが記憶されている。ＥＥＰＲＯＭ１６は、電気的に内容を書き換え可能な不揮発性メモリであり、制御部１７の制御によって所定のデータが記憶される。
【００４５】
制御部１７は、リモコン１２及び操作部１４からのユーザ入力を受け付け、信号処理部２２からの管理データを受け付けるとともに、サーボ処理部２１、信号処理部２２、ＯＳＤ処理部１１、ＲＯＭ１５、ＥＥＰＲＯＭ１６を制御する。
【００４６】
[光ディスク再生装置によるトラックサーチ方法]
本実施形態に係るＤＶＤ再生装置１８によるデータサーチ方法は、図２に図示された、前述の第１実施形態に係るテレビジョン放送受信機１によるテレビジョン放送チャンネルのサーチ方法と同一であるので、説明を省略する。但し、本実施形態のＤＶＤ再生装置１８によるデータサーチが開始されるまでの処理が、第１実施形態に係るテレビジョン放送受信機１によるテレビジョン放送チャンネルのサーチ方法と異なるので、ここでは該相違点についてのみ説明する。
【００４７】
また、図５（ａ）乃至（ｂ）は、本実施形態に係るＤＶＤ再生装置１８によるトラックのサーチ画面例であるが、前述の第１実施形態に係るテレビジョン放送受信機１によるテレビジョン放送チャンネルのサーチ画面と構成が同一であるので、同一部分に同一符号を付与する。
【００４８】
光ディスク記録媒体１９がＤＶＤ再生装置１８のインターフェイス（図示せず）に装着されると、光ピックアップ部２０によって、光ディスク記録媒体１９の再内周に設けられたエリアから管理データが読み出され、信号処理部２２に出力される。制御部１７は、信号処理部２２から出力される該管理データによって、該管理データから光ディスクに記録されたデータ総数（ＣＤの場合はトラック総数であり、ＤＶＤの場合はチャプタ総数）に関する情報を取得する。そして、制御部１７は、データ総数をパラメータに割り当て、ＥＥＰＲＯＭ１６に記憶させる。具体的には、パラメータはＸ、Ｙ、Ｚの３種類であり、Ｘはデータ総数の１００の位に対応し、Ｙは１０の位に対応し、Ｚは１の位に対応している。例えば、データ総数が５１２である場合には、Ｘ＝５、Ｙ＝１、Ｚ＝２として、各パラメータに数値が割り当てられることになる。なお、通常、オーディオＣＤに記録されるトラック（曲）や、ＤＶＤに記録されるチャプタ（映像）の総数が１００以上になることは一般的ではないが、例えば、ＭＰ３形式のオーディオデータや、ＪＰＥＧ形式の画像データが光ディスク記録媒体に記録される場合、データ総数が１００以上になることがある。したがって、本実施形態に於いては、データ総数が５１２の場合を想定した。
【００４９】
なお、本実施形態に係るＤＶＤ再生装置１８の代わりに、ＣＤ若しくはＤＶＤを記録再生可能な光ディスク記録再生装置や、テレビジョン放送受信機一体型の光ディスク再生装置や、テレビジョン放送受信機一体型の光ディスク記録再生装置を使用しても良い。
【００５０】
[作用効果]
本実施形態に係るＤＶＤ再生装置１８によるデータサーチ方法によれば、所望のデータ番号が光ディスク記録媒体１９に記録されたデータ総数を超えた場合に、超えた時点でのデータ番号の桁入力を無効にするので、所望のデータ号を最後の桁まで入力する手間を省くことができ、非常に利便性が高い。
【００５１】
また、本実施形態に係るＤＶＤ再生装置１８によるデータサーチ方法によれば、所望のデータ番号が光ディスク記録媒体１９に記録されたデータ総数を超えた場合に、超えた時点での桁入力を無効にして、さらに、該無効となった桁入力を再度受け付ける。したがって、所望のデータ番号を最後の桁まで入力する前に桁入力が無効になったとしても、所望のデータ番号を最初の桁入力から入力し直す必要がなく、非常に利便性が高い。
【００５２】
また、本実施形態に係るＤＶＤ再生装置１８によるデータサーチ方法によれば、所望のデータ番号が光ディスク記録媒体１９に記録されたデータ総数を超えた場合に、制御部１７が超えた時点での桁入力を無効にして、ＯＳＤ処理部１１を制御して所望のデータ番号がサーチ範囲外である旨を示すコメントを表示部９に出力させるので、所望のデータ番号がサーチ範囲外であることをユーザに容易に理解させることが出来る。
【００５３】
また、本実施形態に係るＤＶＤ再生装置１８によるデータサーチ方法によれば、桁数が３桁以下のデータ番号の検索を行うことが出来るので、光ディスク記録媒体１９に記録された３桁のデータに対してデータ番号の検索を実行することができ、ユーザにとって利便性が高い。
【図面の簡単な説明】
【００５４】
【図１】第１実施形態に係るテレビジョン放送受信機１に関する概略構成図
【図２】第１実施形態に係るサーチ方法に関するフローチャート
【図３】第１実施形態に係るサーチ画面に関する図
【図４】第２実施形態に係るＤＶＤ再生装置１８に関する概略構成図
【図５】第２実施形態に係るサーチ画面に関する図
【符号の説明】
【００５５】
１      テレビジョン放送受信機
２      アンテナ部      
３      チューナ部
４      復調部＆ＦＥＣ部    
５      ＤＥＭＵＸ
５ａ    音声データ
５ｂ    映像データ
５ｃ    情報チャンネルデータ
６      音声信号処理部    
７      映像信号処理部    
８      スピーカ部    
９      表示部    
１０    デスクランブラ  
１１    ＯＳＤ処理部  
１２    リモコン  
１３    赤外線受光部  
１４    操作部
１５    ＲＯＭ  
１６    ＥＥＰＲＯＭ    
１７    制御部
１８    ＤＶＤ再生装置
１９    光ディスク記録媒体
２０    光ピックアップ部
２１    サーボ処理部
２２    信号処理部
２３    音声デコード部
２４    映像デコード部  
１００  サーチ画面
１０１  コメント欄
１０２  項目欄
１０３  最大チャンネル番号
１０４  入力欄
１０５  カーソル
【図１】
2006134429.tif 000003
【図２】
2006134429.tif 000004
【図３】
2006134429.tif 000005
【図４】
2006134429.tif 000006
【図５】
2006134429.tif 000007